(57)【要約】【課題】採光部にデザイン上の制限を加えることなく、防火性能を向上させること。【解決手段】四周枠組みした骨材２１の見付け面２１ａにそれぞれ表面材２２を配設することによって構成し、個々の表面材２２の互いに対応する部位に採光孔３１を設けることによって採光部３０が形成された扉体２０において、採光部３０は、表面材２２の相互間において採光孔３１の内周に配設した採光部骨材３２と、採光孔３１の開口周縁部に配設される額縁３４とを備え、室外側に配置される表面材２２には、採光部骨材３２の内周に配置される折曲ヒレ部３５が設けられ、折曲ヒレ部３５から採光部骨材３２に連結部材６０が設けられている。【選択図】図７
2019007156.tif 000002
【特許請求の範囲】
【請求項１】
室内側の表面材及び室外側の表面材を備え、これら表面材の互いに対向する部位に採光孔を設けることによって採光部が構成された扉体において、
前記採光部は、前記表面材の相互間において前記採光孔の内周に配設した採光部骨材と、前記採光孔の開口周縁部に配設される額縁とを備え、
前記表面材の少なくとも一方には、前記採光部骨材の内周を覆う折曲部が設けられ、
前記折曲部から前記採光部骨材に連結部材が設けられていることを特徴とする扉体。
【請求項２】
前記額縁は、前記表面材の室外側となる表面に配置される外額縁部と、前記表面材の室内側となる表面に配置される内額縁部とを備え、
前記外額縁部には、前記採光部骨材の内周を覆う取付片部が設けられており、前記連結部材は、前記取付片部を介して前記折曲部から前記採光部骨材に設けられていることを特徴とする請求項１に記載の扉体。
【請求項３】
前記採光部骨材は、金属材によって成形し、かつ前記表面材の相互間隔よりも小さい見込み寸法を有したことを特徴とする請求項１に記載の扉体。
【請求項４】
前記折曲部は、前記採光孔の開口縁に沿って互いに間隔を確保した位置に複数設けられていることを特徴とする請求項１に記載の扉体。
【請求項５】
前記内額縁部は、見込み方向に沿った連結ネジを螺合することにより前記外額縁部に保持され、前記連結ネジを含めた室内に臨む部分がカバー部材によって覆われることを特徴とする請求項２に記載の扉体。
【請求項６】
請求項１〜請求項５のいずれかひとつに記載した扉体と、前記扉体を開閉可能に支持する枠体とを備えたことを特徴とする建具。
【発明の詳細な説明】
【技術分野】
【０００１】
本発明は、採光部を有した扉体及び建具に関するものである。
【背景技術】
【０００２】
昨今においては、四周枠組みした骨材の見付け面にそれぞれ表面材を配設することによって構成された、いわゆるフラッシュ構造の扉体が多く用いられている。この種の扉体に採光部を設ける場合には、防火性能を確保するため、表面材に設けられた採光孔の周囲に補強材を配設し、表面材を補強材に連結させるようにしている。すなわち、表面材において採光孔の開口周縁となる部分をリベットやネジ等の連結部材によって補強材に連結させれば、火災時等のように高温に晒されて表面材に熱反りが発生した場合にも、採光孔の開口周縁部が開いてしまう事態を未然に防止することができ、所望の防火性能を確保することが可能となる（例えば、特許文献１参照）。
【先行技術文献】
【特許文献】
【０００３】
【特許文献１】特開２０１５−８６６５８号公報
【発明の概要】
【発明が解決しようとする課題】
【０００４】
通常、表面材において採光孔の開口周縁となる部分には、パネルの周縁部を保持するための額縁が設けられている。従って、リベットやネジ等の連結部材の頭部が隠れるように額縁を設ければ、外観品質が損なわれる事態を防止できる。しかしながら、こうした扉体にあっては、採光部をデザインする上で連結部材の位置を考慮する必要があり、必ずしも好ましいとはいえない。
【０００５】
本発明は、上記実情に鑑みて、採光部にデザイン上の制限を加えることなく、防火性能を向上させることのできる扉体及び建具を提供することを目的とする。
【課題を解決するための手段】
【０００６】
上記目的を達成するため、本発明に係る扉体は、室内側の表面材及び室外側の表面材を備え、これら表面材の互いに対向する部位に採光孔を設けることによって採光部が構成された扉体において、前記採光部は、前記表面材の相互間において前記採光孔の内周に配設した採光部骨材と、前記採光孔の開口周縁部に配設される額縁とを備え、前記表面材の少なくとも一方には、前記採光部骨材の内周を覆う折曲部が設けられ、前記折曲部から前記採光部骨材に連結部材が設けられていることを特徴とする。
【０００７】
この発明によれば、採光孔の内部に配置される折曲部を連結部材によって採光部骨材に連結するようにしているため、額縁において表面材の表面を覆う部分に何ら制限を加えることなく、採光孔の開口周縁部で表面材が開く事態を防止することができる。
【０００８】
また本発明は、上述した扉体において、前記額縁は、前記表面材の室外側となる表面に配置される外額縁部と、前記表面材の室内側となる表面に配置される内額縁部とを備え、前記外額縁部には、前記採光部骨材の内周を覆う取付片部が設けられており、前記連結部材は、前記取付片部を介して前記折曲部から前記採光部骨材に設けられていることを特徴とする。
【０００９】
この発明によれば、外額縁部を取り付けるための連結部材によって表面材の折曲部を採光部骨材に連結することができるため、作業性及び製造コストの点で有利となる。
【００１０】
また本発明は、上述した扉体において、前記採光部骨材は、金属材によって成形し、かつ前記表面材の相互間隔よりも小さい見込み寸法を有したことを特徴とする。
【００１１】
この発明によれば、採光部骨材を金属によって成形しているものの、表面材の相互間を連結する構成にない。従って、採光部骨材が熱橋となる事態を招来することがなく、表面材が開く事態をより確実に防止することが可能となる。
【００１２】
また本発明は、上述した扉体において、前記折曲部は、前記採光孔の開口縁に沿って互いに間隔を確保した位置に複数設けられていることを特徴とする。
【００１３】
この発明によれば、折曲部が採光孔の開口縁全体にある場合に比べて折曲部を曲げ易くなり、表面材を製造する上で作業を容易化できる。
【００１４】
また本発明は、上述した扉体において、前記内額縁部は、見込み方向に沿った連結ネジを螺合することにより前記外額縁部に保持され、前記連結ネジを含めた室内に臨む部分がカバー部材によって覆われることを特徴とする。
【００１５】
この発明によれば、内額縁部を外額縁部に保持させる連結ネジがカバー部材によって覆われるため、当該連結ネジが外観品質を損なうおそれがない。
【００１６】
また、本発明に係る建具は、上述した扉体と、前記扉体を開閉可能に支持する枠体とを備えたことを特徴とする。
【００１７】
この発明によれば、採光孔の内部に配置される折曲部を連結部材によって採光部骨材に連結するようにしているため、額縁において表面材の表面を覆う部分に何ら制限を加えることなく、採光孔の開口周縁部で表面材が開く事態を防止することができる。
【発明の効果】
【００１８】
本発明によれば、採光孔の内部に配置される折曲部を連結部材によって採光部骨材に連結するようにしているため、額縁において表面材の表面を覆う部分に何ら制限を加えることなく、採光孔の開口周縁部で表面材が開く事態を防止することができる。これにより、採光部にデザイン上の制限を加えることなく、防火性能を向上させることが可能となる。
【図面の簡単な説明】
【００１９】
【図１】本発明の実施の形態である扉体を適用した建具を室外側から見た図である。
【図２】図１に示した建具の縦断面図である。
【図３】図１に示した建具の横断面図である。
【図４】図１に示した建具の要部拡大横断面図である。
【図５】図１に示した建具の扉体に適用する表面材の要部拡大斜視図である。
【図６】図１に示した建具に適用する扉体の要部を示すもので、扉本体に外額縁部を取り付ける以前の分解横断面図である。
【図７】図１に示し建具に適用する扉体の要部を示すもので、扉本体に外額縁部を取り付けた後であって、内額縁部を取り付ける以前の分解横断面図である。
【発明を実施するための形態】
【００２０】
以下、添付図面を参照しながら本発明に係る扉体及び建具の好適な実施の形態について詳細に説明する。図１〜図４は、本発明の実施の形態である扉体を適用した建具を示したものである。ここで例示する建具は、家屋の玄関に用いられるもので、枠体１０と、ヒンジ１を介して枠体１０に開閉可能に支持させた扉体２０とを備えている。
【００２１】
枠体１０は、上枠１１、下枠１２及び左右の縦枠１３を四周枠組みすることによって構成したものである。それぞれの枠１１，１２，１３は、アルミニウム合金等の金属によって成形した２つの枠要素１１ａ，１１ｂ、１２ａ，１２ｂ、１３ａ，１３ｂを見込み方向に沿って並設し、互いの間を連結材１１ｃ，１２ｃ，１３ｃによって連結したものである。連結材１１ｃ，１２ｃ，１３ｃは、断熱性を有した樹脂によって成形してある。
【００２２】
ここで、見込み方向とは、図中の矢印Ａで示すように、建具の奥行きに沿った方向である。見込み方向に沿った平面については、見込み面と称する場合がある。また、見付け方向とは、上枠１１や下枠１２のように左右に沿った部材の場合、見込み方向に直交した上下に沿う方向であり、縦枠１３のように上下に沿った部材の場合、見込み方向に直交した左右に沿う方向である。見付け方向に沿った平面については、見付け面と称する場合がある。
【００２３】
扉体２０は、四周枠組みした骨材２１の両側見付け面２１ａ，２１ｂにそれぞれ表面材２２を配設することによって扉本体２３を構成したものである。骨材２１は、硬質ＰＶＣ（ｐｏｌｙ  ｖｉｎｙｌ  ｃｈｌｏｒｉｄｅ）等の硬質樹脂によって成形した樹脂骨部２４と、スチール等の金属によって成形した金属骨部２５とを備えている。
【００２４】
樹脂骨部２４は、樹脂基部２４ａ、２つの当接部２４ｂ，２４ｃ及び隔壁部２４ｄを一体に成形したものである。樹脂基部２４ａは、扉本体２３の見込み方向に沿った寸法にほぼ等しい長さを有した板状部分である。当接部２４ｂ，２４ｃは、樹脂基部２４ａの両側縁部からそれぞれ同一方向に向けてほぼ直角に屈曲して延在した板状部分を成している。隔壁部２４ｄは、２つの当接部２４ｂ，２４ｃの間となる部分から当接部２４ｂ，２４ｃに対向するように突出した板状部分である。隔壁部２４ｄを設ける位置は、２つ当接部２４ｂ，２４ｃの間の中心から室内側にずれた位置である。
【００２５】
金属骨部２５は、金属基部２５ａ及び２つの側壁部２５ｂを一体に成形したものである。金属基部２５ａ及び側壁部２５ｂは、それぞれ平板状を成すもので、金属基部２５ａの両側縁部から側壁部２５ｂが同一方向に向けてほぼ直角に屈曲している。図からも明らかなように、金属骨部２５は、樹脂骨部２４において一方の当接部２４ｂと隔壁部２４ｄとの間の空間に配置し、金属基部２５ａを樹脂基部２４ａに当接させた場合に側壁部２５ｂが当接部２４ｂ及び隔壁部２４ｄに当接することのできる寸法に形成してある。なお、図中の符号２６は、樹脂骨部２４において隔壁部２４ｄと他方の当接部２４ｃとの間に配設した断熱材である。また、符号２７は扉本体２３の戸先となる部分に設けた錠ケース、符号２８は扉本体２３の吊り元となる部分に設けた通電ケースである。
【００２６】
上述の構成を有する骨材２１は、金属骨部２５がすべて同じ向きとなる状態で四周枠組みすることにより扉本体２３の外殻を構成している。図には明示していないが、金属骨部２５の相互間は、適宜ブラケットを介して連結すれば良い。金属骨部２５の相互間を連結するには、例えばリベットを適用することができる。樹脂骨部２４の間は、必ずしも連結する必要はないが、熱溶着することによって相互に接合するようにしても良い。
【００２７】
表面材２２は、鋼材等の金属によって成形した薄板状部材によって成形したもので、基板部２２ａ及び屈曲部２２ｂを有している。基板部２２ａは、扉本体２３の外形寸法とほぼ同じ大きさの矩形状を成す部分である。屈曲部２２ｂは、基板部２２ａの四周からそれぞれ同じ方向に向けてほぼ直角に屈曲した部分である。屈曲部２２ｂの延在寸法は、上述した樹脂基部２４ａの見込み方向に沿った寸法の１／２より小さく設定してある。
【００２８】
この表面材２２は、四周枠組みした骨材２１の見付け面２１ａ，２１ｂをそれぞれ覆うとともに、個々の屈曲部２２ｂが樹脂基部２４ａの見込み面２１ｃを一部覆うように配置した状態で、屈曲部２２ｂと骨材２１との間が接合される。表面材２２の屈曲部２２ｂと骨材２１とを接合する方法としては、例えばリベットを適用すれば良い。樹脂骨部２４と金属骨部２５とが重ね合わされた部分については、樹脂骨部２４を介して表面材２２の屈曲部２２ｂが金属骨部２５に接合されることになる。なお、図中の符号２９は、表面材２２の相互間に配設した断熱材である。
【００２９】
上記のようにして構成した扉本体２３には、採光部３０が設けてある。採光部３０は、縦長の矩形状を成すもので、扉本体２３のほぼ中央部に設けてある。本実施の形態では、表面材２２に設けた採光孔３１に採光部骨材３２、パネル３３及び額縁３４を配設することによって採光部３０が構成してある。
【００３０】
採光孔３１は、それぞれの表面材２２の基板部２２ａにおいて互いに対応する部位に設けた縦長矩形状の開口である。図４及び図５に示すように、室外側に配置される表面材２２には、採光孔３１の左右に位置する開口縁３１ａに、それぞれ複数の折曲ヒレ部（折曲部）３５が設けてある。折曲ヒレ部３５は、矩形状を成し、表面材２２の基板部２２ａに対してほぼ直角に屈曲して延在するもので、採光孔３１の開口縁３１ａに沿って互いに間隔を確保した複数位置に設けてある。折曲ヒレ部３５の延在長さは、扉本体２３の板厚のほぼ１／２である。折曲ヒレ部３５の延在端部には、それぞれ矩形状のピン挿通孔３５ａが形成してある。
【００３１】
採光部骨材３２は、上述した骨材２１と同様、硬質ＰＶＣ等の硬質樹脂によって成形した樹脂採光骨部３６と、スチール等の金属によって成形した金属採光骨部３７とを備えて構成したものである。樹脂採光骨部３６及び金属採光骨部３７は、骨材２１の樹脂骨部２４及び金属骨部２５と同様の構成を有したものである。すなわち、樹脂採光骨部３６は、樹脂採光基部３６ａ、２つの採光当接部３６ｂ，３６ｃ及び採光隔壁部３６ｄを一体に成形したものである。金属採光骨部３７は、金属採光基部３７ａ及び２つの採光側壁部３７ｂを一体に成形したものである。樹脂採光骨部３６において採光隔壁部３６ｄと他方の採光当接部３６ｃとの間に断熱材３８を配設する点についても骨材２１と同様である。
【００３２】
上記の構成を有する採光部骨材３２は、金属採光骨部３７がすべて室外側に位置し、かつ金属採光基部３７ａが採光部３０の内周側となる姿勢で四周枠組みされ、採光孔３１の内周を縁取るように扉本体２３に設けてある。図２及び図３に示すように、採光孔３１の上下に配置される採光部骨材３２については、樹脂採光基部３６ａが外周側となる姿勢で樹脂採光骨部３６が配設してある。これに対して採光孔３１の左右に配置される採光部骨材３２については、樹脂採光基部３６ａが内周側となる姿勢で樹脂採光骨部３６が配設してある。採光部骨材３２に対して表面材２２は、それぞれの内部表面が樹脂採光骨部３６の採光当接部３６ｂ，３６ｃに当接し、かつ折曲ヒレ部３５が樹脂採光基部３６ａに重ね合わされた状態となる。表面材２２と樹脂採光骨部３６の採光当接部３６ｂ，３６ｃとの間は、接着材によって接着しても良い。
【００３３】
パネル３３は、スペーサ３３ａを介して複数のガラス板３３ｂを積層することによって構成した複層ガラスであり、採光孔３１に配置することのできる大きさの矩形状を成している。
【００３４】
額縁３４は、採光孔３１の開口周縁部に位置する扉本体２３を挟持するとともに、パネル３３の四周を挟持することにより、パネル３３を扉本体２３に保持させるものである。本実施の形態では、外額縁部４０及び内額縁部５０を備えて額縁３４が構成してある。
【００３５】
外額縁部４０は、アルミニウム合金等の金属によって成形した押し出し形材であり、扉当接部４１、パネル支持部４２及び取付片部４３を有している。扉当接部４１は、扉本体２３の表面材２２を介して採光部骨材３２の見付け面３２ａに対向する部分である。採光孔３１の上下に配置される外額縁部４０の扉当接部（以下、区別する場合に上下扉当接部４１という）は、採光孔３１の開口寸法に等しい長さを有した板状を成すものである。上下扉当接部４１の上下方向に沿った寸法は、それぞれ採光孔３１から扉本体２３の端部までの間を覆うことのできる大きさに設定してある。一方、採光孔３１の左右に配置される外額縁部４０の扉当接部（以下、区別する場合に左右扉当接部４１という）は、扉本体２３の上端から下端に至る長さを有した中空状を成すものである。左右扉当接部４１の左右方向に沿った寸法は、採光部骨材３２をわずかに超える大きさに設定してある。パネル支持部４２は、扉当接部４１の内周側に位置する部分から内周側に向けて延在した後、室内側に向けて屈曲延在した部分である。パネル支持部４２の延在端部には、室内側となる部位にタイト材４４が装着してある。取付片部４３は、扉当接部４１の採光孔３１に対向する部分から室内側に向けて延在した板状部分である。取付片部４３の延在端部は、二股に分岐し、互いの間に螺合溝４３ａを構成している。取付片部４３の寸法は、上下に配置される外額縁部４０と左右に配置される外額縁部４０とで共通であり、折曲ヒレ部３５を超えて室内側に位置する長さに設定してある。なお、図には明示していないが、左右の外額縁部４０において採光孔３１よりも上方及び下方に配置される部分については、表面材２２の外部表面に隙間なく当接することができるように、パネル支持部４２及び取付片部４３が適宜切除してある。
【００３６】
内額縁部５０は、採光孔３１の開口周縁部に額縁状に設けられるものである。本実施の形態では、硬質ＰＶＣ等の硬質樹脂によって成形した押し出し形材から成る内額縁部５０を適用している。内額縁部５０には、連結ブロック部５１、扉係止部５２及びパネル挟持部５３が設けてある。連結ブロック部５１は、室内側において採光部骨材３２の内周側に配置される部分であり、中空の直方体状に構成してある。扉係止部５２は、連結ブロック部５１の外周側となる隅部から室内側に向けて延在した後、外周側に向けて屈曲し、さらに室外側に向けて屈曲したものである。この扉係止部５２は、連結ブロック部５１の室外に臨む端面に外額縁部４０の取付片部４３を当接させた場合に、室内側に配置される表面材２２の外部表面に当接することのできる寸法に形成してある。パネル挟持部５３は、連結ブロック部５１の内周側となる部分から、外額縁部４０のパネル支持部４２に対向するように内周に向けて延在したものである。パネル挟持部５３の延在端部には、室外側となる部位にタイト材５４が構成してある。このタイト材５４は、軟質樹脂によって構成したもので、二色成形によりパネル挟持部５３と一体に成形してある。
【００３７】
上述した採光部骨材３２、パネル３３及び額縁３４によって採光部３０を構成するには、図６及び図７に示すように、室外側に配置される表面材２２の外部表面に対して外額縁部４０の扉当接部４１を当接させ、かつ取付片部４３を採光部骨材３２の内周側に配置する。この状態から取付片部４３及び表面材２２の折曲ヒレ部３５を介して採光部骨材３２にピン状の連結部材６０を貫通するように設ければ、外額縁部４０が扉本体２３に保持される。連結部材６０としては、鋼材によって成形されたものを適用することが好ましい。
【００３８】
次いで、室内側に配置される表面材２２の外部表面に対して内額縁部５０の扉係止部５２が対向した状態で連結ブロック部５１を取付片部４３に当接させる。この状態から、連結ブロック部５１を介して取付片部４３の螺合溝４３ａに連結ネジ６１を螺合すれば、外額縁部４０との間に扉本体２３を挟持する状態で内額縁部５０が扉本体２３に保持される。内額縁部５０の室内側に露出する部分については、カバー部材６２を装着することにより、連結ネジ６１を含めて覆い隠すようにしている。カバー部材６２は、アルミニウム合金等の金属によって成形したもので、内額縁部５０に対して着脱可能となるように構成してある。
【００３９】
その後、外額縁部４０のパネル支持部４２と内額縁部５０のパネル挟持部５３との間に構成されるパネル収容溝６３にパネル３３の周縁部を収容させれば、扉本体２３に採光部３０を構成することができる。パネル収容溝６３には、パネル３３を装着する以前に鋼材によって成形した脱落防止部材６４が配設してある。なお、図中の符号６５は、熱膨張性部材である。熱膨張性部材６５は、熱により膨張する不燃性または難燃性の部材である。熱膨張性部材６５としては、例えば熱膨張性の黒鉛を含有した発泡材を適用することができる。また、符号２は、扉本体２３の室外側となる部位に複数配設した縦格子である。この縦格子２は、外額縁部４０の扉当接部４１と同じ幅に構成したもので、外額縁部４０を含めて互いに等間隔となるように扉本体２３に配設してある。
【００４０】
上記のように構成した建具では、扉体２０を閉じた状態であっても、採光部３０において縦格子２の相互間や外額縁部４０と縦格子２との間の隙間に位置するパネル３３を通じて室内側に室外の光を取り入れることができるようになる。さらに、この建具の扉体２０によれば、外額縁部４０の折曲ヒレ部３５を連結部材６０によって採光部骨材３２に連結するようにしている。このため、火災発生時等において室外側が高温に晒され、外額縁部４０が溶融したり焼失した状態で表面材２２に熱反りが発生した場合にも、採光孔３１の開口周縁部となる部分の表面材２２が開いてしまう事態を招来するおそれがない。しかも、折曲ヒレ部３５を採光孔３１の内部においてパネル３３と採光部骨材３２との間に配設しているため、外額縁部４０の扉当接部４１を如何なるデザイン（寸法、形状等々）に構成しても、連結部材６０が外部に露出するおそれもない。これらの結果、この建具の扉体２０によれば、採光部３０にデザイン上の制限を何ら加えることなく、防火性能を向上させることが可能となる。
【００４１】
なお、上述した実施の形態では、ヒンジ１を介して枠体１０に扉体２０が開閉可能に支持された建具を例示しているが、枠体に対して扉体が開閉するものであれば、必ずしもヒンジを介したものに限定されない。また、枠体１０として金属によって成形した２つの枠要素１１ａ，１１ｂ、１２ａ，１２ｂ、１３ａ，１３ｂの間を断熱材である連結材１１ｃ，１２ｃ，１３ｃによって連結したものを例示しているが、必ずしもこれに限定されない。さらに骨材２１及び採光部骨材３２として、それぞれ樹脂によって成形した部分２４，３６と金属によって成形した部分２５，３７とを備えたものを例示しているが、必ずしも樹脂によって成形した部分を有している必要はない。この場合、金属によって成形した部分２５，３７として表面材２２の相互間隔よりも小さい見込み寸法を有したものを適用しているため、骨材や採光部骨材が熱橋となるおそれはない。
【００４２】
また、上述した実施の形態では、折曲部として複数のヒレ状を成す折曲ヒレ部３５を例示しているため、折曲部が採光孔３１の開口縁部の全長にわたって連続しているものに比べて折り曲げ易く、製造上の作業を容易化することができる。しかしながら、本発明では必ずしも折曲部がヒレ状を成している必要はない。さらに、取付片部４３を介して採光部骨材３２に連結部材６０を設けるようにしているため、折曲部３５を採光部骨材に連結するための専用の連結部材が不要となり、作業性及び製造コストの点で有利となる。しかしながら、本発明では、専用の連結部材を用いて折曲部を採光部骨材に連結させるようにしても構わない。また、採光孔３１の左右に位置する開口縁部にのみ折曲部を設けるようにしているが、採光孔の上下に位置する開口縁部に折曲部を設けてももちろん良い。さらに、室内側に位置する表面材に折曲部を設けても構わない。
【符号の説明】
【００４３】
１０  枠体、２０  扉体、２１  骨材、２１ａ，２１ｂ  見付け面、２２  表面材、３０  採光部、３１  採光孔、３１ａ  開口縁、３２  採光部骨材、３４  額縁、３５  折曲ヒレ部、３７  金属採光骨部、４０  外額縁部、４３  取付片部、６０  連結部材、６１  連結ネジ、６２  カバー部材
【図１】
2019007156.tif 000003
【図２】
2019007156.tif 000004
【図３】
2019007156.tif 000005
【図４】
2019007156.tif 000006
【図５】
2019007156.tif 000007
【図６】
2019007156.tif 000008
【図７】
2019007156.tif 000009